(57)【要約】【課題】電気機器の多機能化に関わらず、操作性及び視認性の高い遠隔操作装置及び該遠隔操作装置を備える電気機器遠隔操作システムを提供する。【解決手段】電気機器の運転内容を複数設定する遠隔操作信号を送信するようにしてある遠隔操作装置２に、複数の運転内容に対応した文字２９ｅ，２９ｆ，２９ｇ，２９ｈを表示している覆体２８と、運転内容を順次選択するための上矢印ボタン２５及び下矢印ボタン２７と、選択された運転内容の設定を変更するための設定変更ボタン２６と、設定変更ボタン２６が操作された場合、前記運転内容の設定を変更する遠隔操作信号を送信する送信部３０と、上矢印ボタン２５及び下矢印ボタン２７にて選択された運転内容に対応した文字２９ｅ，２９ｆ，２９ｇ，２９ｈを指示する指示画像２４ａ及び該運転内容の設定を表示する表示部２４とを備える。【選択図】図２
2007322075.tif 000002
【特許請求の範囲】
【請求項１】
電気機器の運転内容を複数設定するための遠隔操作信号を送信するようにしてある遠隔操作装置において、
複数の運転内容に夫々対応した記号を表示している筐体と、
運転内容を順次選択するための第１操作部と、
該第１操作部にて選択された運転内容の設定を選択するための第２操作部と、
該第２操作部が操作された場合、選択された運転内容の設定に係る遠隔操作信号を送信する送信部と、
前記第１操作部にて選択された運転内容に対応した記号を指示する指示画像及び前記第２操作部にて選択された設定を表示する表示部と
を備えることを特徴とする遠隔操作装置。
【請求項２】
電気機器の運転内容を複数設定するための遠隔操作信号を送信するようにしてある遠隔操作装置において、
複数の第１運転内容に夫々対応した記号を表示している筐体と、
複数の第２運転内容に夫々対応した記号を表示しており、前記筐体が表示している記号を出没自在に覆う覆体と、
該覆体による前記記号の出没を検出する検出スイッチと、
該検出スイッチの検出結果に応じて、第１又は第２運転内容のいずれかを順次選択するための第１操作部と、
該第１操作部にて選択された第１又は第２運転内容の設定を選択するための第２操作部と、
該第２操作部が操作された場合、選択された第１又は第２運転内容の設定に係る遠隔操作信号を送信する送信部と、
前記第１操作部にて選択された第１又は第２運転内容に対応した記号を指示する指示画像及び前記第２操作部にて選択された設定を表示する表示部と
を備えることを特徴とする遠隔操作装置。
【請求項３】
他の表示部を備えることを特徴とする請求項１又は請求項２に記載の遠隔操作装置。
【請求項４】
前記送信部は、
空気調和機の運転内容を複数設定するための遠隔操作信号を送信するようにしてある
ことを特徴とする請求項１乃至請求項３のいずれか一つに記載の遠隔操作装置。
【請求項５】
請求項１乃至請求項４のいずれか一つに記載の遠隔操作装置と、電気機器とを備え、
前記電気機器は、
前記送信部が送信した遠隔操作信号を受信する受信部と、
該受信部が受信した遠隔操作信号に応じて運転を制御する制御部と
を備えることを特徴とする電気機器遠隔操作システム。
【発明の詳細な説明】
【技術分野】
【０００１】
本発明は、空気調和機のような電気機器の運転内容を複数設定するための遠隔操作信号を送信する遠隔操作装置及び該遠隔操作装置を備える電気機器遠隔操作システムに関する。
【背景技術】
【０００２】
図９及び図１０は、操作面側から見た従来の遠隔操作装置の模式図である。
空気調和機の運転を遠隔操作する従来の遠隔操作装置は、空気調和機と共に空気調和機遠隔操作システムを構成しており、風量、上下風向、左右風向、空清等の各運転内容を設定するための専用の運転内容設定ボタン１２２ａ，１２２ｂ及び各運転内容の設定をセグメント表示する液晶表示部１２３を備えている。運転内容設定ボタン１２２ａ，１２２ｂが操作された場合、各運転内容設定ボタン１２２ａ，１２２ｂに応じた遠隔操作信号を送信部３０から送信するように構成されている。空気調和機は、遠隔操作信号を受信し、受信した遠隔操作信号に応じて運転を制御する。
【０００３】
上述の遠隔操作装置においては、空気調和機の多機能化によって、設定可能な運転内容が増加した場合、より多くの運転内容設定ボタン１２２ａ，１２２ｂを備え、運転内容の設定状態を精細な文字で液晶表示部１２３に表示する必要があり、操作性及び視認性が悪化するという問題が生ずる。
【０００４】
操作性悪化の問題を解決するために、各運転内容を液晶表示部に表示し、各運転内容を順次選択するための運転内容選択ボタン、及び選択された運転内容の設定を選択及び変更するための設定変更ボタンを備えた遠隔操作装置が提案されている。
このように構成された遠隔操作装置においては、操作ボタンの個数を減らし、操作性を向上させることができる。
【０００５】
一方、視認性悪化の問題を解決するために、特定の運転内容の設定のみを液晶表示部に表示し、設定確認ボタンが操作された場合、他の運転内容の設定を表示するように構成された遠隔操作装置が提案されている（例えば、特許文献１）。
このように構成された遠隔操作装置においては、表示内容を減らし、視認性を向上させることができる。
【特許文献１】特許第３４０３３２９号公報
【発明の開示】
【発明が解決しようとする課題】
【０００６】
しかしながら、設定変更ボタンを備えた遠隔操作装置においては、各運転内容及び該運転内容の設定を液晶表示部に表示する構成であるため、視認性の問題を解決することができない。
一方、特許文献１に係る遠隔操作装置においては、専用の運転内容設定ボタンを備えており、操作性悪化の問題を解決することができない。
【０００７】
本発明は、斯かる事情に鑑みてなされたものであり、複数の運転内容に対応した記号を表示している筐体、運転内容を順次選択するための第１操作部、第１操作部にて選択された運転内容の設定を選択するための第２操作部、並びに選択された運転内容に対応した記号を指示する指示画像及び運転内容の設定を表示する表示部を備えることにより、第１及び第２操作部で複数の運転内容を設定することができ、しかも表示部の視認性を向上させることができる遠隔操作装置及び該遠隔操作装置を備える電気機器遠隔操作システムを提供することを目的とする。
【０００８】
本発明の他の目的は、複数の第１運転内容に対応した記号を表示している筐体、複数の第２運転内容に対応した記号を表示しており、前記筐体が表示した複数の記号を出没自在に覆う覆体、第１又は第２運転内容を順次選択するための第１操作部、第１操作部にて選択された第１又は第２運転内容の設定を選択するための第２操作部、並びに選択された第１又は第２運転内容に対応した記号を指示する指示画像及び設定を表示する表示部を備えることにより、筐体のみに記号を表示する場合に比べてより多くの第１及び第２運転内容を設定することができ、しかも表示部の視認性を向上させることができる遠隔操作装置及び該遠隔操作装置を備える電気機器遠隔操作システムを提供することにある。
【０００９】
本発明の他の目的は、表示部と異なる他の表示部を備えることにより、第１及び第２操作部で設定する運転内容に関する情報と、他の運転に関する情報とを明確に区分けして表示することができ、一の表示部に全情報を表示する場合に比べて操作性及び視認性がより高い遠隔操作装置及び該遠隔操作装置を備える電気機器遠隔操作システムを提供することにある。
【００１０】
本発明の他の目的は、空気調和機の運転内容を複数設定する遠隔操作信号を送信するように構成することにより、第１及び第２操作部で空気調和機の運転内容を複数設定することができ、しかも表示部の視認性を向上させることができる遠隔操作装置及び該遠隔操作装置を備える電気機器遠隔操作システムを提供することにある。
【課題を解決するための手段】
【００１１】
本発明に係る遠隔操作装置は、電気機器の運転内容を複数設定するための遠隔操作信号を送信するようにしてある遠隔操作装置において、複数の運転内容に夫々対応した記号を表示している筐体と、運転内容を順次選択するための第１操作部と、該第１操作部にて選択された運転内容の設定を選択するための第２操作部と、該第２操作部が操作された場合、選択された運転内容の設定に係る遠隔操作信号を送信する送信部と、前記第１操作部にて選択された運転内容に対応した記号を指示する指示画像及び前記第２操作部にて選択された設定を表示する表示部とを備えることを特徴とする。
【００１２】
本発明に係る遠隔操作装置は、電気機器の運転内容を複数設定するための遠隔操作信号を送信するようにしてある遠隔操作装置において、複数の第１運転内容に夫々対応した記号を表示している筐体と、複数の第２運転内容に夫々対応した記号を表示しており、前記筐体が表示している記号を出没自在に覆う覆体と、該覆体による前記記号の出没を検出する検出スイッチと、該検出スイッチの検出結果に応じて、第１又は第２運転内容のいずれかを順次選択するための第１操作部と、該第１操作部にて選択された第１又は第２運転内容の設定を選択するための第２操作部と、該第２操作部が操作された場合、選択された第１又は第２運転内容の設定に係る遠隔操作信号を送信する送信部と、前記第１操作部にて選択された第１又は第２運転内容に対応した記号を指示する指示画像及び前記第２操作部にて選択された設定を表示する表示部とを備えることを特徴とする。
【００１３】
本発明に係る遠隔操作装置は、他の表示部を備えることを特徴とする。
【００１４】
本発明に係る遠隔操作装置は、前記送信部は、空気調和機の運転内容を複数設定するための遠隔操作信号を送信するようにしてあることを特徴とする。
【００１５】
本発明に係る電気機器遠隔操作システムは、上述のいずれか一つの遠隔操作装置と、電気機器とを備え、前記電気機器は、前記送信部が送信した遠隔操作信号を受信する受信部と、該受信部が受信した遠隔操作信号に応じて運転を制御する制御部とを備えることを特徴とする。
【００１６】
本発明にあっては、筐体が複数の運転内容に対応した記号を表示しており、表示部は、一の運転内容に対応した記号を指示する指示画像、例えば矢印の画像を表示する。また、表示部は、前記一の運転内容の設定を表示する。
第１操作部が操作された場合、他の運転内容が選択され、表示部は、他の運転内容に対応した記号を指示する指示画像、及び他の運転内容の設定を表示する。以下、同様にして第１操作部が操作される都度、一の運転内容を順次選択する。
そして、第２操作部が操作された場合、選択されている運転内容の他の設定を選択し、送信手段は、該設定に係る遠隔操作信号を送信する。
従って、第１操作部及び第２操作部の操作によって、複数の運転内容を設定するための遠隔操作信号を送信することができる。また、表示部は、第１操作部にて選択された運転内容の設定を表示するため、全運転内容の設定を表示する場合に比べて、表示部を小型化し、視認性を向上させることができる。
一方、電気機器が備える制御部は、受信部が受信した遠隔操作信号に応じて運転を制御する。
【００１７】
本発明にあっては、筐体が複数の第１運転内容に対応した記号を表示している。覆体は、前記記号を出没自在に覆うように構成されており、複数の第２運転内容に対応した記号を表示している。表示部は、覆体による記号の出没を検出する検出スイッチの検出結果に応じて、第１又は第２運転内容のいずれかに対応した記号を指示する指示画像、例えば矢印の画像を表示する。つまり、覆体が筐体の記号を覆っている場合、表示部は、第２運転内容に対応した一の記号を指示する指示画像を表示し、筐体の記号が露出している場合、第１運転内容に対応した一の記号を指示する指示画像を表示する。また、表示部は、指示画像で指示されている記号に対応する一の前記第１又は第２運転内容の設定を表示する。
筐体の記号が露出していて、一の第１運転内容に対応した記号が指示画像によって指示されている場合、第１操作部が操作されたとき、他の第１運転内容が選択され、表示部は、他の第１運転内容に対応した記号を指示する指示画像、及び他の第１運転内容の設定を表示する。以下、同様にして第１操作部が操作される都度、一の第１運転内容を順次選択する。
筐体の記号が覆体で覆われていて、一の第２運転内容に対応した記号が指示画像によって指示されている場合、第１操作部が操作されたとき、他の第２運転内容が選択され、表示部は、他の第２運転内容に対応した記号を指示する指示画像、及び他の第２運転内容の設定を表示する。以下、同様にして第１操作部が操作される都度、一の第２運転内容を順次選択する。
そして、第２操作部が操作された場合、送信手段は、選択されている第１又は第２運転内容の他の設定を選択し、送信手段は、該設定に係る遠隔操作信号を送信する。
従って、筐体のみに記号を表示する場合に比べてより多くの第１及び第２運転内容を設定することができる。また、表示部は、第１操作部にて選択された第１又は第２運転内容の設定を表示するため、全運転内容の設定を表示する場合に比べて、表示部を小型化し、視認性を向上させることができる。
一方、電気機器が備える制御部は、受信部が受信した遠隔操作信号に応じて運転を制御する。
【００１８】
本発明にあっては、指示画像及び運転内容の設定を表示する表示部と、他の運転に関する情報を表示する表示部とを別体で備えている。
従って、第１及び第２操作部で設定される運転内容に関する情報と、他の運転に関する情報とを明確に区分けして表示することができる。
【００１９】
本発明にあっては、第２操作部が操作された場合、送信手段は、空気調和機の運転内容を複数設定するための遠隔操作信号を送信する。従って、第１及び第２操作部の操作にて、空気調和機の運転を遠隔操作することができる。
【発明の効果】
【００２０】
本発明によれば、第１及び第２操作部で複数の運転内容を設定することができ、しかも表示部の視認性を向上させることができる。
【００２１】
本発明によれば、筐体のみに記号を表示する場合に比べてより多くの第１及び第２運転内容を設定することができ、しかも表示部の視認性を向上させることができる。
【００２２】
本発明によれば、第１及び第２操作部で設定する運転内容に関する情報と、他の運転に関する情報とを明確に区分けして表示することができ、一の表示部に全情報を表示する場合に比べて操作性及び視認性を向上させることができる。
【００２３】
本発明によれば、第１及び第２操作部で空気調和機の運転内容を設定することができ、しかも表示部の視認性を向上させることができる。
【発明を実施するための最良の形態】
【００２４】
以下、本発明をその実施の形態を示す図面に基づいて詳述する。
図１は、本発明の実施の形態に係る電気機器遠隔操作システムの構成を示すブロック図である。
本発明の実施の形態に係る電気機器遠隔操作システムは、空気調和機１、及び空気調和機１の運転内容を複数設定するための遠隔操作信号を送信する遠隔操作装置２から構成されている。
【００２５】
図２及び図３は、操作面側から見た本発明の実施の形態に係る遠隔操作装置２の模式図である。遠隔操作装置２は、バータイプであり、扁平略直方体の筐体２１を備えている。筐体２１は、操作ボタン群２２を略中央部に配した略矩形の操作面２１ａを有している。筐体２１の上端部には、遠隔操作信号を送信する送信部３０が備えられており、筐体２１は、操作ボタン群２２の操作状態を検出し、検出結果に応じた遠隔操作信号を送信部３０に送信させる制御部３２を収容している。操作ボタン群２２は、横方向に並設された押しボタン式の冷房ボタン２２ａ及び暖房ボタン２２ｃ、その下側に配設された停止ボタン２２ｂ、停止ボタン２２ｂの下側で横方向に並設された１対の温度調整ボタン２２ｄ，２２ｅ、並びに温度調整ボタン２２ｄ，２２ｅの更に下側に配設された切タイマーボタン２２ｆで構成されている。
【００２６】
操作面２１ａの上端側には、自動、除湿、冷房、暖房等の運転モード、室温、湿度等をセグメント表示する運転情報表示部２３が配されている。運転情報表示部２３は、２枚のガラス基板間に封入された液晶、各ガラス基板の外側に配された偏光フィルム、及び所定形状にパターニングされた透明電極等を備えている。透明電極は、例えば「自動」、「除湿」、「冷房」、「暖房」等の文字形状、又は数字の形状にパターニングされている。
【００２７】
操作面２１ａの切タイマーボタン２２ｆより下側部分は、上側部分に比べて一段低く形成されており、下端部には、操作面２１ａの下側部分を覆う覆体２８を支持する支持部２１ｂが凸設されている。
支持部２１ｂは、略直方体形状であり、両側壁には支持軸２１ｃ，２１ｃが横方向外側に突出している。覆体２８は図３に示すように、支持軸２１ｃ，２１ｃによって前後方向に回動自在に支持されている。
【００２８】
下側部分の横方向一端側には、空気調和機１の第１運転内容及び第２運転内容を逆順に選択するための上矢印ボタン２５、第１及び第２運転内容の設定を選択し、選択した設定に係る遠隔操作信号を送信するための設定変更ボタン２６、第１及び第２運転内容を順に選択するための下矢印ボタン２７が上下方向にこの順で並設されている。設定変更ボタン２６より横方向他端側には、運転情報表示部２３より小型の表示部２４が配されており、操作面２１ａ上、表示部２４の横方向他端側には、４つの第１運転内容に対応した文字、例えば「掃除」、「表示」、「感度」、「その他」の文字２９ａ，２９ｂ，２９ｃ，２９ｄが上方から下方向へこの順で印刷されている。
【００２９】
下側部分の適宜箇所には、覆体２８による文字２９ａ，２９ｂ，２９ｃ，２９ｄの出没、つまり覆体２８の開閉を検出する常開接点型の開閉検出スイッチ３１が設けられており、覆体２８の裏側には、覆体２８が筐体２１の下側部分を覆った場合に開閉検出スイッチ３１をオンにする突起２８ａが形成されている。
【００３０】
覆体２８は、閉じた状態で表示部２４、上矢印ボタン２５、設定変更ボタン２６、及び下矢印ボタン２７を外部へ露出させる孔部を備えている。
また、表示部２４を露出するための矩形の孔部の他端側には、図２に示すように４つの第２運転内容に対応した文字、例えば「風量」、「上下風向」、「左右風向」、「空清」の文字２９ｅ，２９ｆ，２９ｇ，２９ｈが上方から下方向へこの順で印刷されている。
【００３１】
表示部２４は、対向配置された略長方形の２枚のガラス基板、該ガラス基板間に封入された液晶、及び画素を構成すべく縦横に配された透明電極を備えており、選択された第１及び第２運転内容に対応した文字２９ａ，…，２９ｈを指示する矢印形状の指示画像２４ａを表示する。また、表示部２４は、選択された第１又は第２運転内容の設定を表示する。例えば、表示部２４は、図３に示すように「掃除」の運転内容の設定を示す「自動」の文字を表示する。
【００３２】
制御部３２は、図１に示すようにＣＰＵ３２ａ、バス３２ｇを介してＣＰＵ３２ａに接続されたＲＯＭ３２ｂ、ＲＡＭ３２ｃ、計時部３２ｄ、出力インタフェース３２ｅ、入力インタフェース３２ｆが接続されている。
ＲＯＭ３２ｂは、遠隔操作信号の送信に係る処理を実行するためのコンピュータプログラムを記憶しており、ＣＰＵ３２ａは、ＲＯＭ３２ｂが記憶したコンピュータプログラムをＲＡＭ３２ｃに読み出して実行することにより、空気調和機１の遠隔操作を実現する。
【００３３】
出力インタフェース３２ｅには、運転情報表示部２３、表示部２４、及び送信部３０が接続されている。入力インタフェース３２ｆには、開閉検出スイッチ３１、操作ボタン群２２、上矢印ボタン２５、設定変更ボタン２６、及び下矢印ボタン２７等が接続されている。
【００３４】
図４は、空気調和機１の構成を示すブロック図である。空気調和機１は、室内機１０及び室外機１１から構成されている。
室内機１０は、遠隔操作装置２から送信された赤外線の信号を受信する受信部１０ｃ、及び制御部１０ａを備えている。受信部１０ｃは、室内機筐体の正面外側に配設されており、赤外線の信号を電気信号に変換するフォトダイオードからなり、受信した信号を制御部１０ａに与える。制御部１０ａは、図示しないＣＰＵ、ＲＡＭ、ＲＯＭ、タイマーなどを備えており、ＲＯＭは、空気調和機１の運転内容を設定し、駆動制御するためのコンピュータプログラムを記憶している。制御部１０ａのＣＰＵは、ＲＯＭが記憶しているコンピュータプログラムをＲＡＭに読み出して実行することにより、受信部１０ｃで受信した信号に応じた空気調和機１の運転内容を設定し、空気調和機１の駆動制御処理を行う。
【００３５】
また、室内機１０は、室内温度検出器１０ｄ、室内ファン１０ｉ、室内ファン駆動部１０ｈ、及び冷媒にて熱交換を行う室内熱交換器１０ｊを備えている。室内温度検出器１０ｄは、例えばサーミスタであり、室内温度検出器１０ｄが検出した温度は、制御部１０ａに与えられ、制御部１０ａは、与えられた温度に応じて、室内ファン駆動部１０ｈに制御信号を与え、室内ファン１０ｉを駆動させる。室内ファン１０ｉは、モータ及びインペラなどを備えており、駆動した室内ファン１０ｉは、図示しない筐体の上側に形成された吸込口から室内機１０内に空気を吸い込み、室内熱交換器１０ｊで熱交換された空気を、筐体の正面下側に形成された送風口から室内機１０外へ送風する。
【００３６】
更に、室内機１０は、室内ファン１０ｉにより送風される空気の向きを制御するための風向板１０ｇ及び風向板駆動部１０ｆを備えており、制御部１０ａは、風向板駆動部１０ｆに制御信号を与えることで風向板１０ｇを駆動させる。風向板１０ｇは、吸込口で上下に回動する上下風向板、及び左右に回動する複数の左右風向板からなり、空気が任意の方向へ送風されるように構成されている。
【００３７】
更にまた、室内機１０は、イオン発生部１０ｂ、表示部１０ｅ等を備えている。表示部１０ｅは、室内温度検出器１０ｄが検出した温度、空気調和機１の運転状態を示す液晶ディスプレイにて構成されている。
イオン発生部１０ｂは、絶縁体を介して対向配置した電極を備えており、正負のイオンを発生させることにより、空気を清浄にする。
【００３８】
室外機１１は、例えば屋外に設置されるものであり、冷媒を圧縮する圧縮機１１ａ、室外熱交換器１１ｂ、及びキャピラリチューブ１１ｃを備えており、圧縮機１１ａ、室外熱交換器１１ｂ、キャピラリチューブ１１ｃ、及び室内機１０の室内熱交換器１０ｊは、この順で配管にて接続され、冷媒が循環する冷媒サイクルを構成している。
また、室外機１１は、制御部１０ａに制御される圧縮機駆動部１１ｄ、室外ファン駆動部１１ｅ、及び室外ファン１１ｆを備えている。室外ファン１１ｆは、室外ファン駆動部１１ｅにより駆動され、室外機１１の筐体に形成された図示しない吸込口から熱交換する為の空気を室外機１１内に吸い込み、熱交換された空気を吹出口から吹き出す。
【００３９】
圧縮機１１ａは、制御部１０ａに制御される圧縮機駆動部１１ｄにより駆動されて、冷媒を圧縮する。室外熱交換器１１ｂは、冷房運転の場合、圧縮機１１ａで圧縮された高温・高圧の気体の冷媒ガスを、室外ファン１１ｆによって空冷することで凝縮させる。冷媒ガスの凝縮によって室外熱交換器１１ｂで発生した熱は、室外ファン１１ｆにより室外機１１内に吸い込まれた空気に与えられ、該空気は室外機１１外へ吹き出される。
キャピラリチューブ１１ｃは、室外熱交換器１１ｂからの冷媒を減圧し、減圧された冷媒ガスは、室内熱交換器１０ｊで蒸発する。室内ファン１０ｉにより室内機１０内に吸い込まれた空気は、室内熱交換器１０ｊによって吸熱され、吸熱された空気は、室内機１０外へ吹き出される。冷媒の凝縮及び蒸発によって、室外機１１及び室内機１０における空気が熱交換され、室内の空気が空調される。
また、圧縮機１１ａは、四方弁を備えており、四方弁は、冷房運転の場合、圧縮機１１ａが圧縮した冷媒の流れる方向を室外熱交換器１１ｂ側へ、暖房運転の場合、室内熱交換器１０ｊ側へ切り替える。冷媒が、圧縮機１１ａから室内熱交換器１０ｊ側へ循環する場合、室内熱交換器１０ｊ及び室外熱交換器１１ｂは夫々凝縮器及び蒸発器として機能して、空気調和機１は、暖風を室内に送風する。冷媒が、圧縮機１１ａから室外熱交換器１１ｂ側へ循環する場合、室外熱交換器１１ｂ及び室内熱交換器１０ｊは夫々凝縮器及び蒸発器として機能して、空気調和機１は、冷風を室内に送風する。
【００４０】
図５及び図６は、遠隔操作信号の送信に係る制御部３２の処理手順を示すフローチャートである。
電力が供給された場合、制御部３２は、上矢印ボタン２５、設定変更ボタン２６、及び下矢印ボタン２７で選択及び設定される第１運転内容及び第２運転内容を初期設定する（ステップＳ１１）。つまり、所定の第１運転内容を一つ選択し、所定の設定を一つ選択する。同様に、所定の第２運転内容を一つ選択し、所定の設定を一つ選択する。
【００４１】
そして、制御部３２は、上矢印ボタン２５の操作状態を検出し、上矢印ボタン２５が押下されたか否かを判定する（ステップＳ１２）。上矢印ボタン２５が押下されたと判定した場合（ステップＳ１２：ＹＥＳ）、制御部３２は、開閉検出スイッチ３１の検出結果を取得し、取得した検出結果に基づいて覆体２８が開いているか否かを判定する（ステップＳ１３）。
【００４２】
覆体２８が開状態であると判定した場合（ステップＳ１３：ＹＥＳ）、制御部３２は、上矢印ボタン２５が操作された時点で選択されている第１運転内容以外の他の第１運転内容を順に選択する（ステップＳ１４）。覆体２８が閉状態であると判定した場合（ステップＳ１３：ＮＯ）、制御部３２は、上矢印ボタン２５が操作された時点で選択されている第２運転内容以外の他の第２運転内容を順に選択する（ステップＳ１５）。
【００４３】
ステップＳ１４若しくはステップＳ１５の処理を終えた場合、又は上矢印ボタン２５が押下されていないと判定した場合（ステップＳ１２：ＮＯ）、制御部３２は、下矢印ボタン２７の操作状態を検出し、下矢印ボタン２７が押下されたか否かを判定する（ステップＳ１６）。下矢印ボタン２７が押下されたと判定した場合（ステップＳ１６：ＹＥＳ）、制御部３２は、開閉検出スイッチ３１の検出結果を取得し、取得した検出結果に基づいて覆体２８が開いているか否かを判定する（ステップＳ１７）。
【００４４】
覆体２８が開状態であると判定した場合（ステップＳ１７：ＹＥＳ）、制御部３２は、下矢印ボタン２７が操作された時点で選択されている第１運転内容以外の他の第１運転内容を逆順に選択する（ステップＳ１８）。覆体２８が閉状態であると判定した場合（ステップＳ１７：ＮＯ）、制御部３２は、下矢印ボタン２７が操作された時点で選択されている第２運転内容以外の他の第２運転内容を逆順に選択する（ステップＳ１９）。
【００４５】
ステップＳ１８若しくはステップＳ１９の処理を終えた場合、又は下矢印ボタン２７が押下されていないと判定した場合（ステップＳ１６：ＮＯ）、制御部３２は、設定変更ボタン２６の操作状態を検出し、設定変更ボタン２６が押下されたか否かを判定する（ステップＳ２０）。
【００４６】
設定変更ボタン２６が押下されたと判定した場合（ステップＳ２０：ＹＥＳ）、制御部３２は、覆体２８が開状態であるか否かを判定する（ステップＳ２１）。覆体２８が開状態であると判定した場合（ステップＳ２１：ＹＥＳ）、制御部３２は、設定変更ボタン２６が押下された時点で選択されている第１運転内容の設定以外の他の設定を選択し（ステップＳ２２）、選択されている第１運転内容の設定に係る遠隔操作信号を送信する（ステップＳ２３）。覆体２８が閉状態であると判定した場合（ステップＳ２１：ＮＯ）、制御部３２は、設定変更ボタン２６が押下された時点で選択されている第２運転内容の設定以外の他の設定を選択し（ステップＳ２４）、選択されている第２運転内容の設定に係る遠隔操作新語を送信する（ステップＳ２５）。
【００４７】
ステップＳ２３若しくはステップＳ２５の処理を終えた場合、又は設定変更ボタン２６が押下されていないと判定した場合（ステップＳ２０：ＮＯ）、制御部３２は、覆体２８が開状態であるか否かを判定する（ステップＳ２６）。
【００４８】
覆体２８が開状態であると判定した場合（ステップＳ２６：ＹＥＳ）、制御部３２は、選択された第１運転内容に対応した文字２９ａ，２９ｂ，２９ｃ，２９ｄを指示する指示画像２４ａを表示部２４に表示させる（ステップＳ２７）。そして、制御部３２は、選択されている第１運転内容の設定を表示部２４に表示させ（ステップＳ２８）、処理をステップＳ１２へ戻す。
【００４９】
覆体２８が閉状態であると判定した場合（ステップＳ２６：ＮＯ）、制御部３２は、選択された第２運転内容に対応した文字２９ｅ，２９ｆ，２９ｇ，２９ｈを指示する指示画像２４ａを表示部２４に表示させる（ステップＳ２９）。そして、制御部３２は、選択されている第２運転内容の設定を表示部２４に表示させ（ステップＳ３０）、処理をステップＳ１２へ戻す。
【００５０】
次に遠隔操作装置２の動作を説明する。
図７は、設定変更ボタン２６が操作された場合の遠隔操作装置２の動作説明図である。図７（ａ）は、覆体２８が閉じた状態で、風量の第２運転内容が選択されており、表示部２４が風量の設定を「自動」の文字で表示している状態を示している。
【００５１】
ここで、設定変更ボタン２６が押下された場合、送信部３０は、風量を微風に設定するための遠隔操作信号を送信し、表示部２４は、図７（ｂ）に示すように風量の設定を「微」の文字で表示する。
続けて設定変更ボタン２６が押下された場合、送信部３０は、風量を弱風に設定するための遠隔操作信号を送信し、表示部２４は、図７（ｃ）に示すように風量の設定を「弱」の文字で表示する。
次いで、設定変更ボタン２６が押下された場合、送信部３０は、風量を強風に設定するための遠隔操作信号を送信し、表示部２４は、図７（ｄ）に示すように風量の設定を「強」の文字で表示する。
更に、設定変更ボタン２６が押下された場合、制御部３２は、風量を自動に設定するための遠隔操作信号を送信し、表示部２４は、図７（ａ）に示すように風量の設定を「自動」の文字で表示する。以下、同様にして、設定変更ボタン２６が押下される都度、遠隔操作信号を送信することで、選択された一の第２運転内容の設定を順次変更する。
【００５２】
図８は、上矢印ボタン２５又は下矢印ボタン２７が操作された場合の遠隔操作装置２の動作説明図である。
図８（ａ）は、覆体２８が閉じた状態で、風量の第２運転内容が選択されており、表示部２４が風量の設定を「自動」の文字で表示している状態を示している。
【００５３】
ここで、下矢印ボタン２７が押下された場合、図８（ｂ）に示すように、「風量」の文字２９ｅの下側の「上下風向」の文字２９ｆが指示画像２４ａによって指示されて、上下風向の第２運転内容が選択される。図８（ｂ）に示した状態で上矢印ボタン２５が押下された場合、図８（ａ）に示すように、「風量」の文字２９ｅが指示画像２４ａによって指示されて、風量の第２運転内容が選択される。
【００５４】
また、図８（ｂ）に示した状態で下矢印ボタン２７が押下された場合、図８（ｃ）、（ｄ）に示すように、「左右風向」、「空清」の文字２９ｇ，２９ｈが指示画像２４ａによって順に指示され、左右風向又は空清の第２運転内容が選択される。
図８（ｃ）に示した状態で上矢印ボタン２５が押下された場合、図８（ｂ）に示すように「上下風向」の文字２９ｆが指示画像２４ａによって指示されて、上下風向の第２運転内容が選択される。同様に図８（ｄ）に示した状態で上矢印ボタン２５が押下された場合、図８（ｃ）に示すように「左右風向」の文字２９ｇが指示画像２４ａによって指示されて、左右風向の第２運転内容が選択される。
【００５５】
覆体２８の開いた状態における第１運転内容の選択、及び選択された第１運転内容の設定に係る動作は、第２運転内容の選択及び設定と同様である。
【００５６】
このように構成された遠隔操作装置２にあっては、上矢印ボタン２５、下矢印ボタン２７、及び設定変更ボタン２６にて複数の第１及び第２運転内容を設定することができ、しかも表示部２４を小型化し、視認性を向上させることができる。
【００５７】
また、第１及び第２運転内容の設定に係る情報を表示する表示部２４と、他の運転に関する情報を表示する運転情報表示部２３とを別体で構成し、離隔させているため、第１及び第２運転内容に関する情報と、他の運転に関する情報とを明確に区分けして表示することができ、一の表示部２４に全情報を表示する場合に比べてより操作性及び視認性を向上させることができる。
【００５８】
更に、覆体２８を開くことで筐体２１に表示された一の第１運転内容を選択し、選択した第１運転内容の設定を変更することができ、覆体２８を閉じることで覆体２８に表示された一の第２運転内容を選択し、選択した第２運転内容の設定を変更することができる。従って、筐体２１又は覆体２８の一方に運転内容を表示する場合に比べて、より多くの運転内容の設定を変更することができる。
【００５９】
更にまた、第１及び第２運転内容を上矢印ボタン２５及び下矢印ボタン２７にて選択することができるため、１つのボタンで第１及び第２運転内容を選択する場合に比べて、より効率的に第１及び第２運転内容を選択し、運転内容の設定を変更することができる。
【００６０】
更にまた、表示部２４は、上矢印ボタン２５及び下矢印ボタン２７にて選択された一の第１運転内容又は第２運転内容の設定を表示するように構成しているため、運転内容を選択するためのボタンと、運転内容の設定を表示部２４に表示させるためのボタンとを上矢印ボタン２５及び下矢印ボタン２７で兼用することができ、遠隔操作装置２に備えるボタン数を減少させることができる。
【００６１】
更にまた、運転内容を矢印の指示画像２４ａにて指示するように構成しているため、前記運転内容を示す文字を表示部２４に表示する場合に比べて、より小型の表示部２４にて遠隔操作装置２を構成することができる。
【００６２】
なお、実施の形態にあっては、空気調和機が有する運転内容を設定するように構成してあるが、他の電気機器が有する運転内容を設定する遠隔操作信号を送信するように構成しても良い。
【００６３】
また、上矢印ボタン及び下矢印ボタンを備えているが、いずれか一つを備えるように構成しても良い。
【００６４】
更に、表示部及び運転情報表示部を備えているが、表示部のみを備えるように構成しても良い。
【図面の簡単な説明】
【００６５】
【図１】本発明の実施の形態に係る電気機器遠隔操作システムの構成を示すブロック図である。
【図２】操作面側から見た本発明の実施の形態に係る遠隔操作装置の模式図である。
【図３】操作面側から見た本発明の実施の形態に係る遠隔操作装置の模式図である。
【図４】空気調和機の構成を示すブロック図である。
【図５】遠隔操作信号の送信に係る制御部の処理手順を示すフローチャートである。
【図６】遠隔操作信号の送信に係る制御部の処理手順を示すフローチャートである。
【図７】設定変更ボタンが操作された場合の遠隔操作装置の動作説明図である。
【図８】上矢印ボタン又は下矢印ボタンが操作された場合の遠隔操作装置の動作説明図である。
【図９】操作面側から見た従来の遠隔操作装置の模式図である。
【図１０】操作面側から見た従来の遠隔操作装置の模式図である。
【符号の説明】
【００６６】
１  空気調和機
２  遠隔操作装置
１０  室内機
１０ａ  制御部
１０ｃ  受信部
１１  室外機
２１  筐体
２１ａ  操作面
２１ｂ  支持部
２１ｃ，２１ｃ  支持軸
２２  操作ボタン群
２３  運転情報表示部
２４  表示部
２４ａ  指示画像
２５  上矢印ボタン
２６  設定変更ボタン
２７  下矢印ボタン
２８  覆体
２８ａ  突起
３０  送信部
３１  開閉検出スイッチ
３２  制御部
【図１】
2007322075.tif 000003
【図２】
2007322075.tif 000004
【図３】
2007322075.tif 000005
【図４】
2007322075.tif 000006
【図５】
2007322075.tif 000007
【図６】
2007322075.tif 000008
【図７】
2007322075.tif 000009
【図８】
2007322075.tif 000010
【図９】
2007322075.tif 000011
【図１０】
2007322075.tif 000012